(57)【要約】【課題】  配管部品数の低減を図り、施工性を高め、配管によって外観の見映えが損なわれることのない雨水貯留槽を提供する。【解決手段】  頂部に雨水を取り入れる取水穴１７が設けられ、また上部に過剰な雨水を排出するオーバフロー排水口２３ａが設けられた雨水貯留用タンク本体１２と、竪樋１１からの雨水を取水穴１７に案内すべく竪樋１１の下端を受け入れる上端接続部１８ａ及び取水穴１７に着脱可能に嵌合する下端接続部１８ｃを有し、竪樋１１からの雨水を濾過するフィルタ２０が設けられた全体にクランク状の取水継手１８と、オーバフロー排水口２３ａに接続されるオーバフロー管２４とを備える。タンク本体１２の周壁には、その上部から下端に至る凹所２１が形成され、該凹所の壁面にオーバフロー排水口２３ａが形成され、該オーバフロー排水口に接続されるオーバフロー管２４が凹所２１内に収容される。【選択図】  図２
2006028876.tif 000002
【特許請求の範囲】
【請求項１】
頂部に雨水を取り入れる取水穴が設けられ、また上部に過剰な雨水を排出するオーバフ
ロー排水口が設けられた雨水貯留用タンク本体と、竪樋からの雨水を前記取水穴に案内す
べく前記竪樋の下端を受け入れる上端接続部及び前記取水穴に着脱可能に嵌合する下端接
続部を有し、前記竪樋からの雨水を濾過するフィルタが内部に設けられた取水継手と、前
記オーバフロー排水口に接続されるオーバフロー管とを備え、前記タンク本体の周壁には
その上部から下端に至る凹所が形成され、該凹所の壁面に前記オーバフロー排水口が形成
され、該オーバフロー排水口に接続される前記オーバフロー管が前記凹所内に収容されて
いることを特徴とする雨水貯留槽。
【請求項２】
前記凹所は前記オーバフロー排水口が形成され下方へ伸長する直線部と、該直線部に連
なって下方に伸長し前記タンク本体の幅方向に広がる拡幅部とを有する請求項１に記載の
雨水貯留槽。
【発明の詳細な説明】
【技術分野】
【０００１】
本発明は、建物の屋根に降った雨水を散水や非常用水等に利用するために集水する雨水
貯留槽に関する。
【背景技術】
【０００２】
建物の屋根に降った雨水を貯めて、この雨水を散水あるいは非常用水に利用する雨水貯
留装置が提案されている（例えば、特許文献１参照。）。特許文献１に記載の雨水貯留装
置では、竪樋からの雨水は、フィルタが設けられたＬ字状の集水継手の垂直部からその水
平部に案内され、該集水継手に接続された水平集水管を経て、該水平集水管に接続された
エルボの水平部及び垂直部に案内され、該エルボの垂直部に接続された垂直集水管から貯
留タンクに案内される。
【０００３】
また、貯留タンクに案内された雨水の過剰分は、貯留タンクの上部から該貯留タンクの
外方へ水平に伸びるオーバフロー排水管を経て、排水管カバーに案内される。
【０００４】
従って、従来の前記雨水貯留装置によれば、貯留タンク内から過剰な雨水をオーバフロ
ーさせることができるので、雨水を樋から溢れさせることなく貯留タンクに導き、該貯留
タンク内に貯めることができ、この雨水を有効に利用することができる。
【特許文献１】特開２００３−１５５７６１号公報（第２−３頁、図１）
【発明の開示】
【発明が解決しようとする課題】
【０００５】
しかしながら、従来の前記雨水貯留装置では、竪樋からの雨水を貯留タンクに導く管路
の構成に、前記したＬ字状の集水継手、水平集水管、エルボ及び垂直集水管のような多数
の管を配管する必要があり、部品点数が多くなる。また、貯留タンクからの過剰な雨水を
排水管カバーに案内するオーバフロー排水管が貯留タンクの外方に大きく張り出して設置
される。そのため、従来の前記雨水貯留装置は、配管によって外観の見映えが損なわれる
ことがあり、また配管部品数の増大によってコスト高となり、また施工性が低下すること
があるという欠点があった。
【０００６】
従って、本発明の目的は、配管部品数の低減を図り、施工性を高めると共に、配管によ
って外観の見映えが損なわれることのない雨水貯留槽を提供することにある。
【課題を解決するための手段】
【０００７】
請求項１に記載の雨水貯留槽は、頂部に雨水を取り入れる取水穴が設けられ、また上部
に過剰な雨水を排出するオーバフロー排水口が設けられた雨水貯留用タンク本体と、竪樋
からの雨水を前記取水穴に案内すべく前記竪樋の下端を受け入れる上端接続部及び前記取
水穴に着脱可能に嵌合する下端接続部を有し、前記竪樋からの雨水を濾過するフィルタが
内部に設けられた取水継手と、前記オーバフロー排水口に接続されるオーバフロー管とを
備え、前記タンク本体の周壁にはその上部から下端に至る凹所が形成され、該凹所の壁面
に前記オーバフロー排水口が形成され、該オーバフロー排水口に接続される前記オーバフ
ロー管が前記凹所内に収容されていることを特徴とする。
【０００８】
請求項２に記載の雨水貯留槽は、オーバフロー管を収容する凹所が下方へ伸長する直線
部と、該直線部に連なって下方に伸長し前記貯留タンク本体の幅方向に広がる拡幅部とを
有することを特徴とする。
【発明の効果】
【０００９】
請求項１に記載の雨水貯留槽では、竪樋からの雨水はフィルタが設けられた取水継手を
経て雨水貯留用のタンク本体に導かれ、該タンク本体からの過剰な雨水を排出するオーバ
フロー管は前記タンク本体の周壁に形成された凹所内に収容されている。
【００１０】
従って、竪樋から前記タンク本体に雨水を導くために、従来のような多数の配管部材を
用いることなく、集水管をタンク本体の頂部に組み付けることにより、竪樋からの雨水を
タンク本体に貯めることができ、またオーバフロー管がタンク本体から外方にはみ出して
配管されることはない。これにより、配管部品数の低減が図られると共に雨水貯留槽の設
置のための施工性が高められ、これら配管によって外観の見映えが損なわれることなく、
雨水貯留槽の外観の見映えが高められる。
【００１１】
請求項２に記載の雨水貯留槽によれば、拡幅部内でオーバフロー管の配管が自在となる
ことから、雨水貯留用タンク本体の設置位置に対する排水口のずれが前記凹所の拡幅部内
であれば、オーバフロー管を凹所からはみ出させることなく該凹所内で配管することがで
き、これによりオーバフロー管をタンク本体１２からはみ出せさせることなく該タンク本
体からの雨水を排水口に案内することができ、前記タンク本体の設置位置と排水口とのず
れを解消することができる。
【発明を実施するための最良の形態】
【００１２】
以下、本発明を図示の実施例に沿って詳細に説明する。
【実施例】
【００１３】
本発明に係る雨水貯留槽１０は、図１及び図２に示すように、竪樋１１からの雨水を貯
めるための雨水貯留用タンク本体１２を備える。タンク本体１２は、該タンク本体に供給
される過剰な雨水を排水口１３（図２参照）に放出するために、該排水口から上方に伸び
る排水管カバー１４（図２参照）上に位置するように、地盤１５に設けられた一対の脚台
１６上に設置されている。
【００１４】
タンク本体１２は、図示の例では、全体に矩形のタンクからなり、その頂部に雨水を受
け入れるための取水穴１７が形成されている。この取水穴１７には、竪樋１１からの雨水
をタンク本体１２内に導くための取水継手１８が装着されている。取水継手１８は、竪樋
１１の下端を受け入れる円筒状の上端接続部１８ａと、該上端接続部の下端に連続し該上
端接続部から斜め下方に伸長する傾斜筒部１８ｂと、該傾斜筒部の下端に連なり、上端接
続部１８ａの軸線と平行な軸線を有し、取水穴１７に嵌合する円筒状の下端接続部１８ｃ
とを備え、全体にクランク状を呈する偏心タイプのものである。
【００１５】
取水継手１８の下端接続部１８ｃの外周には、図３に拡大して示すように、タンク本体
１２の取水穴１７の縁部を覆う環状フランジ部１８ｄが形成されている。また、取水継手
１８の上端接続部１８ａには、竪樋１１を受け入れる円筒状の接続短管１９が、それぞれ
のねじ部１９ａ、１８ｅで取り外し可能に螺合する。この接続短管１９には、竪樋１１か
らの雨水から小石や枯れ葉等の異物を除去するためのメッシュから成るフィルタ２０が装
着されている。
【００１６】
接続短管１９を取水継手１８の上端接続部１８ａに分離可能とすることなく接続短管１
９を上端接続部１８ａと一体に形成することにより、フィルタ２０を取水継手１８に直接
組み込むことができるが、図示のように取水継手１８に接続短管１９を取り外し可能とし
、この接続短管１９の内部にフィルタを組み込むことにより、取水継手１８のフィルタ２
０を収容する部位を取り外し可能とすることができ、これによりフィルタ２０の清掃作業
を容易に行うことができる。
【００１７】
また、クランク状の取水継手１８は、その下端接続部１８ｃを回転可能に取水穴１７に
嵌合されていることから、竪樋１１の位置に合わせて取水継手１８のタンク本体１２への
取付け姿勢を適正に調整することができる。また、取水継手１８を容易にタンク本体１２
から抜き出すことができるので、この取水継手１８の取り外しによってタンク本体１２内
部の清掃が容易に行える。
【００１８】
図２に示すように、タンク本体１２の背面における周壁１２ａには、その上部からタン
ク本体１２の下端に伸びる凹所２１が形成されている。凹所２１は、タンク本体１２の上
部から下部へ向けて伸長する直線部２１ａと、該直線部の下端に連なり、該直線部の幅寸
法よりも大きな幅寸法を有し、タンク本体１２の下縁に至る拡幅部２１ｂとを備える。
【００１９】
図４の円で囲む部分拡大図に示すように、直線部２１ａの上端壁２２には、タンク本体
１２内の過剰な雨水をタンク本体１２外に放出するためのオーバフロー出口管２３が下方
へ向けて突出し、その下端によってオーバフロー排水口２３ａが形成されている。
【００２０】
再び図２を参照するに、凹所２１内には、オーバフロー管２４が収容されている。オー
バフロー管２４は、その上端がオーバフロー出口管２３の排出口２３ａに接続されており
、その下端は排水管カバー１４に接続されている。図２に示す例では、オーバフロー出口
管２３が排水管カバー１４にほぼ軸線を一致するようにタンク本体１２が設置されている
ことから、オーバフロー出口管２３のオーバフロー排水口２３ａから放出され雨水を排水
管カバー１４に導くオーバフロー管２４として、直線状のいわゆるストレート管が採用さ
れている。
【００２１】
これに対し、タンク本体１２の設置位置によって、例えば排水管カバー１４が一方の脚
台１６の位置となる場合、図４に示すように、オーバフロー管２４として、排水管カバー
１４へ向けて凹所２１の拡幅部２１ｂから脚台１６の凹溝１６ａに沿って伸びるクランク
状の配管を採用することができる。
【００２２】
いずれにしても、オーバフロー管２４を凹所２１内に収容することができるので、この
オーバフロー管２４がタンク本体１２の周壁から外方へはみ出すことはない。
【００２３】
本発明に係る雨水貯留槽１０では、従来におけると同様に、図示しないが建物の屋根に
降った雨水が建物の軒下沿って設置された軒樋を経て竪樋１１に集められる。この竪樋１
１に集められた雨水は、取水継手１８によりタンク本体１２の取水穴１７に案内され、タ
ンク本体１２内に溜められる。このとき、取水継手１８を経る雨水は接続短管１９に設け
られたフィルタ２０により異物を除去されることから、タンク本体１２内への異物の混入
が防止され、タンク本体１２内の雨水を異物を含まない状態で再利用することができる。
【００２４】
また、タンク本体１２内の雨水が所定量を超えると、過剰な雨水がオーバフロー排水口
２３ａからオーバフロー管２４を経て、順次、排水口１３に排出されることから、前記し
た軒樋及び竪樋１１を経る雨水の円滑な流れが妨げられることはなく、従って、雨水が樋
から溢れ出ることなく、この雨水をタンク本体１２に案内することができる。
【００２５】
さらに、前記したように、竪樋からの雨水はフィルタが設けられた全体にクランク状の
取水継手１８を経てタンク本体１２に導かれる。また、タンク本体１２からの過剰な雨水
を排出するオーバフロー管２４はタンク本体１２の周壁１２ａに形成された凹所２１内に
収容されている。
【００２６】
従って、竪樋１１からタンク本体１２に雨水を導くために、従来のような多数の配管部
材を用いることなく、クランク状の集水継手１８をタンク本体１２の頂部に組み付けるこ
とにより、竪樋１１からの雨水をタンク本体１２に貯めることができる。また、オーバフ
ロー管２４がタンク本体１２から外方にはみ出して配管されることはない。そのため、配
管部品数の低減が図られる共に雨水貯留槽１０の設置のための施工性が高められ、これら
配管によって外観の見映えが損なわれることなく、雨水貯留槽１０の外観の見映えが高め
られる。
【００２７】
さらに、拡幅部内でオーバフロー管の配管が自在となることから、雨水貯留槽１０のタ
ンク本体１２の設置位置に対する排水口１３のずれが凹所２１の拡幅部２１ｂ内であれば
、オーバフロー管２４を凹所２１からはみ出させることなく、オーバフロー管２４の雨水
を排水口１３に案内することができるので、タンク本体１２の設置位置と排水口１３との
ずれに拘わらず、見映えを損なうことなくタンク本体１２からのオーバフロー水を排水口
１３に放出することができる。
【図面の簡単な説明】
【００２８】
【図１】本発明に係る雨水貯留槽を示す斜視図である。
【図２】本発明に係る雨水貯留槽の配管例を示す背面図である。
【図３】本発明に係る取水継手を分解して示す斜視図である。
【図４】本発明に係る雨水貯留槽の排水管の他の配管例を示す斜視図である。
【符号の説明】
【００２９】
１０  雨水貯留槽
１１  竪樋
１２  タンク本体
１３  排水口
１４  排水管カバー
１７  取水穴
１８  取水継手
１８ａ  上端接続部
１８ｃ  下端接続部
２０  フィルタ
２１  凹所
２１ａ  凹所の直線部
２１ｂ  凹所の拡幅部
２３ａ  オーバフロー排水口
２４  オーバフロー管
【図１】
2006028876.tif 000003
【図２】
2006028876.tif 000004
【図３】
2006028876.tif 000005
【図４】
2006028876.tif 000006